(57)【要約】【課題】組立簡単な工作教材用テープカッターの提供【解決手段】接着テープ72を巻回したテープ巻７を回転自由に保持するホルダー２と、該ホルダーのテープ引出し側に位置する刃体６とをベース１上に配備したテープカッターにおいて、ベース１は平行な２枚の壁板11、12と両壁板を連結する底板13を有し、ホルダー２は、テープ巻７の内径に嵌まる嵌合部材５と、ベース１上に前記壁板11、12と平行な面内で回動可能に取り付けられ自由端に片持ち支持により前記嵌合部材５を回転自由に軸承したアーム４とによって構成されている。アーム４をベース１の壁板11、12間から外側に回転させると嵌合部材５上のテープ巻７の交換ができる。【選択図】図２
0003120800.tif 000002
【実用新案登録請求の範囲】
【請求項１】
接着テープ(72)を巻回したテープ巻(７)を回転自由且つ着脱可能に支持するホルダー(２)と、該ホルダーのテープ引出し側に位置する刃体(６)とをベース(１)上に配備したテープカッターにおいて、
ベース(１)は平行な２枚の壁板(11)(12)と両壁板を連結する底板(13)を有し、
ホルダー(２)は、テープ巻(７)の内径に着脱可能に嵌まる嵌合部材(５)と、ベース(１)上に前記壁板(11)(12)と平行な面内で回動可能に取り付けられ自由端に片持ち支持により前記嵌合部材(５)を回転自由に軸承したアーム(４)とによって構成され、
アーム(４)をベース(１)の壁板(11)(12)間から外側に回転させると、嵌合部材(５)上のテープ巻(７)が壁板(11)(12)に隠れることなく壁板(11)(12)間から脱出することを特徴とするテープカッター。
【請求項２】
アーム(４)は一方の壁板(12)の内面に摺接して回動する請求項１に記載のテープカッター。
【請求項３】
テープ巻(７)を含むホルダー(２)の回動部分の全幅W2は、ベース(１)の壁板(11)(12)の内面間の幅W1に対して殆んど余裕のない状態に収まる請求項１又は２に記載のテープカッター。
【請求項４】
アーム(４)は、ベース(１)の底板(13)に釘打ち等により固定されたブラケット(３)に回動可能に支持されている請求項１乃至３の何れかに記載のテープカッター。
【考案の詳細な説明】
【技術分野】
【０００１】
本考案は、接着テープを巻回したテープ巻をセットし、必要長さのテープを引き出してカットできるテープカッターに関し、主として工作教材として用いられるテープカッターに関するものである。
【背景技術】
【０００２】
一般的なテープカッターは、テープ巻の内径に着脱可能に嵌めた嵌合部材を、ベースの開口部に上方から挿入し、嵌合部材の中心に突設した支持軸の両端を、ベース上の対向する両壁部の内面に形成した溝に回転可能に嵌めている。ベース上にはテープの引出し側にテープをカットするための刃体を取り付けている。
【０００３】
小学生向けの工作教材として提供されているテープカッターでは、細幅の底板の長手方向の両端縁に２枚の壁板を、釘打ち、接着材等で固定してベースを形成する様になっている。
又、溝金具を釘打ち等で壁板の内面に固定して、壁板に前記した嵌合部材の支持軸が嵌まる溝を形成する。
従って、ベースを形成する前に、前記溝を形成した溝金具を壁板に固定しておく必要がある。
この場合、ベースを形成した際に、対向する溝金具の溝の位置がずれることなく溝金具を壁板に固定することは小学生には難しい問題があった。
【０００４】
そこで、ベースの一方の壁板にスライドガイド部材を釘打ち固定し、該スライドガイド部材に上方へ抜き外し可能にスライド部材を配備し、テープ巻の内径に嵌まる嵌合部材を該スライド部材に片持ち支持により回転自由に軸承したテープカッターが提案された(特許文献１)。
【０００５】
特許文献１のテープカッターは、スライドガイド部材は一方の壁板のみに取り付ければよいから、それ以前のテープカッターの様に、対向する２つの壁板に位置合わせして２つの溝金具を取り付ける難しさは解消される。
【０００６】
しかし、上記何れのテープカッターも、テープ巻の内径に嵌まる嵌合部材は、ベースから独立しているから、紛失や落下による破損の虞れがあった。
【０００７】
【特許文献１】特開２００５−６７８０７号公報
【考案の開示】
【考案が解決しようとする課題】
【０００８】
本考案は、通常の使用法では、ベース(１)から嵌合部材(５)を外すことなく、嵌合部材(５)にテープ巻(７)をセットでき、嵌合部材(５)の紛失や落下による破損を防止できるテープカッターを明らかにするものである。
又、本発明は、小学生でも簡単に組み立てできる工作教材としてのテープカッターを提供するものである。
【課題を解決するための手段】
【０００９】
請求項１の接着テープ(72)を巻回したテープ巻(７)を回転自由に保持するホルダー(２)と、該ホルダーのテープ引出し側に位置する刃体(６)とをベース(１)上に配備したテープカッターにおいて、
ベース(１)は平行な２枚の壁板(11)(12)と両壁板を連結する底板(13)を有し、
ホルダー(２)は、テープ巻(７)の内径に着脱可能に嵌まる嵌合部材(５)と、ベース(１)上に前記壁板(11)(12)と平行な面内で回動可能に取り付けられ自由端に片持ち支持により前記嵌合部材(５)を回転自由に軸承したアーム(４)とによって構成され、
アーム(４)をベース(１)の壁板(11)(12)間から外側に回転させると嵌合部材(５)上のテープ巻(７)が壁板(11)(12)に隠れることなく壁板(11)(12)間から脱出することを特徴とする。
【００１０】
請求項２は請求項１のテープカッターにおいて、アーム(４)は一方の壁板(12)の内面に摺接して回動する。
【００１１】
請求項３は請求項１又は２のテープカッターにおいて、テープ巻(７)を含むホルダー(２)の回動部分の全幅W2は、ベース(１)の壁板の内面間の幅W1に対して殆んど余裕のない状態に収まる。
【００１２】
請求項４は請求項１乃至３の何れかに記載のテープカッターにおいて、アーム(４)は、ベース(１)の底板(13)に釘打ち等により固定されたブラケット(３)に回動可能に支持されている。
【考案の効果】
【００１３】
請求項１のテープカッターは、ベース(１)上のアーム(４)の自由端に片持ち支持された嵌合部材(５)にテープ巻(７)を嵌めており、アーム(４)をベース(１)の壁板(11)(12)間から外側に回転させると嵌合部材(５)上のテープ巻(７)が壁板(11)(12)に隠れることなく壁板間から脱出するから、アーム(４)に嵌合部材(５)を取り付けたまま、嵌合部材(５)からテープ巻(７)を外すことができる。
即ち、嵌合部材(５)をアーム(４)から外れない様に取り付けておくことができ、嵌合部材(５)の紛失や、落下による破損を防止できる。
【００１４】
請求項２のテープカッターは、アーム(４)がスライドする際に壁板(12)に摺接するから、壁板(12)がアーム回動のガイドの役割を成してアームに捻り力、曲げ力等、無用の力が掛かることを防止できる。
【００１５】
請求項３のテープカッターは、テープ巻(７)を含むホルダー(２)の回動部分の回動全幅W2は、ベース(１)の壁板の内面間の幅W1に対して殆んど余裕のない状態に収まるため、壁板(11)(12)間で、ホルダー(２)がガタ付いたり、捻り力等無用の力が作用することを防止できる。
【００１６】
請求項４のテープカッターは、アーム(４)を支持するブラケット(３)を、ベース(１)の底板(13)に釘打ち等で固定すればよいから、従来の様に、対向する壁板(11)(12)に位置合わせてして溝金具を取り付ける難しさはない。
【考案を実施するための最良の形態】
【００１７】
図１は、工作教材用のテープカッターであって、ベース(１)からホルダー(２)を回転して脱出させ、該ホルダー(２)の嵌合部材(５)にテープ巻(７)を装着しようとする状態を示している。
【００１８】
テープ巻(７)は、裏面に接着剤層を有する接着テープをリング状の巻芯(71)に巻回した公知のものである。
【００１９】
図２に示す如く、テープカッターのベース(１)は、長方形の底板(13)と、該底板(13)の長手方向に沿う端面に接して上向きに接合された２枚の壁板(11)(12)と、両壁板(11)(12)間の前開口を塞ぐ様に底板(13)の前端に固定されて前板(14)とによって構成される。
ベース(１)を構成する各板(11)(12)(13)(14)の接合は、釘打ち、接着材止め、これらの併用等、小学生でも実施できる固定方法が採用されている。
壁板(11)(12)は、工作の工程の中で、板材を予め糸鋸等で好みの形状に加工し、図案及び着色が施されている。
【００２０】
底板(13)の後端部にホルダー(２)が取り付けられる。
ホルダー(２)は、底板(13)に固定されるブラケット(３)と、該ブラケット(３)に取り付けられ壁板(11)(12)と平行する面内で壁板(11)(12)間から回転して後方に脱出可能なアーム(４)と、該アーム(４)の自由端に片持ち支持により回転自由に取り付けられた嵌合部材(５)とによって構成される。
【００２１】
ブラケット(３)は、底板(13)の上面接する板片(31)に山部(32)を形成し、該山部(32)に前記壁板(11)(12)に直交する方向に貫通する軸孔(33)を開設している。
板片(31)の前部にはビス孔(35)が開設されている。
板片(31)の後端には下向きに屈曲した位置決め片(34)が設けられ、該位置決め片(34)に釘孔(36)が開設されている。
ブラケット(３)の幅は、底板(13)の幅と同じ或いは僅か小さい。
【００２２】
板片(31)を底板(13)の幅からはみ出さない様に、底板(13)の上面に被せ、位置決め片(34)を板片(31)の後端面に押し当てた状態で釘孔(36)から釘(37)を底板(13)に打ち付け、ビス孔(35)からビス(38)を底板(13)に螺入してブラケット(３)を底板(13)に固定する。
【００２３】
アーム(４)は略三角形の板状に形成され、基端に前記ブラケット(３)の軸孔(33)に回転自由に嵌まる軸(41)アーム(４)の板面と直交して突設され、自由端には嵌合部材(５)を回転自由に支持する筒軸(42)が該軸(41)と平行に突設される。
上記軸(41)はブラケット(３)の軸孔(33)を貫通する短いストレート軸である。
筒軸(42)の奥には環状壁(43)が設けられている。
【００２４】
嵌合部材(５)は合成樹脂によって一体成形され、円形の板部材(53)の外周に、使用許容範囲のテープ巻(７)の最大幅と同じ或いはそれよれも僅か広幅のリング(54)を嵌めた形状を呈している。
嵌合部材(５)はその外周にテープ巻の巻芯(71)が緊密に嵌まる大きさに形成されている。嵌合部材(５)の板部材(53)の中心に前記アーム(４)の筒軸(42)に回転可能に嵌まる軸部(51)が突設され、該軸部(51)の先端に前記筒軸(42)の奥に設けた環状壁(43)の孔縁に引っ掛り可能な２つの掛り片(52)(52)が突設されている。
【００２５】
嵌合部材(５)の軸部(51)を、アーム(４)の筒軸(42)に強く押し込むと、掛り片(52)(52)が環状壁(43)の孔縁に当たって掛り片(52)(52)間が閉じる様に弾性変形して環状壁(43)の孔を越え、環状壁(43)の孔縁に引っ掛かる。従って、嵌合部材(５)にテープ巻(７)を脱着する際の力で、嵌合部材(５)を筒軸(42)から外す方向に引っ張っても、嵌合部材(５)がアーム(４)から外れることはない。
【００２６】
テープ巻(７)を含むホルダー(２)の回動部分の全幅W2は、ベース(１)の壁板(11)(12)の内面間の幅W1に対して殆んど余裕のない状態に収まる程度である。
又、ホルダー(２)のアーム(４)は、該アーム(４)側の壁板(12)に摺接しながら回動する。
【００２７】
図６に示す如く、前記前板(14)の上端に刃体(６)がビス止め固定される。刃体(６)は前端角部に鋸刃列(61)を有している。
【００２８】
尚、上記テープカッターの組立手順は、底板(13)に壁板(11)(12)を接合する前に、底板(13)にブラケット(３)を固定し、該ブラケット(３)にアーム(４)を取り付ける。アーム(４)に嵌合部材(５)を取り付けるのは、壁板(11)(12)を底板(13)に接合する前、後の何れでもよい。
【００２９】
然して、本考案のテープカッターは、ベース(１)上のアーム(４)の自由端に片持ち支持された嵌合部材(５)にテープ巻(７)を嵌めており、アーム(４)をベース(１)の壁板(11)(12)間から外側に回転させると、嵌合部材(５)上のテープ巻(７)が壁板(11)(12)に隠れることなく壁板間から脱出する。従って、アーム(４)に嵌合部材(５)を取り付けたまま、嵌合部材(５)からテープ巻(７)を外すことができる。
即ち、嵌合部材(５)をアーム(４)から外れない様に取り付けておくことができ、嵌合部材(５)が独立していることによる嵌合部材(５)の紛失や、落下による破損を防止できる。
【００３０】
又、アーム(４)がスライドする際に壁板(12)に摺接するから、壁板(12)がアーム回動のガイドの役割を成してアームに捻り力、曲げ力等、無用の力が掛かることを防止できる。
【００３１】
又、テープ巻(７)を含むホルダー(２)の回動部分の全幅W2は、ベース(１)の壁板の内面間の幅W1に対して殆んど余裕のない状態に収まるため、壁板(11)(12)間で、ホルダー(２)がガタ付いたり、捻り力等無用の力が作用することを防止できる。
【００３２】
更に、アーム(４)を支持するブラケット(３)を、ベース(１)の底板(13)に釘打ち等で固定すればよいから、従来の様に、対向する壁板(11)(12)に位置合わせてして溝金具を取り付ける難しさはない。
【００３３】
上記実施例の説明は、本考案を説明するためのものであって、実用新案登録請求の範囲に記載の考案を限定し、或いは範囲を減縮する様に解すべきではない。又、本考案の各部構成は上記実施例に限らず、実用新案登録請求の範囲に記載の技術的範囲内で種々の変形が可能であることは勿論である。
【図面の簡単な説明】
【００３４】
【図１】テープ巻を脱着する際のテープカッターの斜視図である。
【図２】テープカッターの分解斜視図である。
【図３】ブラケットの取付け説明図である。
【図４】アームと嵌合部材の斜視図である。
【図５】アームの一部と嵌合部材の斜視図である。
【図６】刃体の取付け説明図である。
【図７】テープカッターの後からの正面図である。
【符号の説明】
【００３５】
１  ベース
２  ホルダー
３  ブラケット
４  アーム
５  嵌合部材
６  刃体
７  テープ巻
【図１】
0003120800.tif 000003
【図２】
0003120800.tif 000004
【図３】
0003120800.tif 000005
【図４】
0003120800.tif 000006
【図５】
0003120800.tif 000007
【図６】
0003120800.tif 000008
【図７】
0003120800.tif 000009